(57)【特許請求の範囲】
【請求項１】
上下部アイレット（１０）を含む一種のターポリン用のアイレットにおいて、
上下部アイレット（１０）の形状は同様であり、上下部アイレット（１０）は環状をなし、上下部アイレット（１０）の前面（１１）と背面（１２）が平面なすアイレットであり、前記上下部アイレット（１０）の前面に少なくとも多数の円を描く固定突起（４０）が設けられ、前記固定突起（４０）は円柱状または円錐状の突状を呈し、前記多数の円を描く固定突起（４０）は、内円と外円における固定突起の配列間隔はちゅう密であり、中間円における固定突起の配列間隔は広くなしたことを特徴とするアイレット。
【請求項２】
前記上下アイレット（１０）は、軟質プラスチック製であることを特徴とする請求項１記載のアイレット。
【請求項３】
前記下部アイレットには、上部アイレットの穿孔（２１）に嵌合自在な嵌合爪（３１）が備えられることを特徴とする請求項１または２記載のアイレット。
【請求項４】
前記嵌合爪（３１）は、上部アイレットの穿孔（２１）に嵌合され該上部アイレットの上部面よりも突設されていることを特徴とする請求項３記載のアイレット。
【請求項５】
前記嵌合爪（３１）は、上部アイレットの穿孔（２１）に嵌合され該上部アイレットの上部面よりも突設された部分が、超音波融着により、溶融されて縁体を形成してなることを特徴とする請求項４記載のアイレット。 
【発明の詳細な説明】
【技術分野】
【０００１】
本発明は、ターポリン用アイレットに係り、詳しくは、ターポリンの周縁部に固定されて紐を通せるようにしたアイレットであり、従来のアイレットの製造方法及びその構造を改善したものである。
【背景技術】
【０００２】
ターポリンの用途は非常に多岐に渡っており、例えば、貨物車や倉庫においては、ターポリンを用いて物品を覆うことにより、物品が雨水に濡れたり日光に当たることを防いでいる。ターポリンを覆うに際し、前記ターポリンの縁部を紐で固定する必要があるが、紐がターポリンを傷付けることを防ぐためにターポリンの縁部にアイレットを固定して、紐をアイレットの孔に通着するためである。また、アイレットと紐を接触させることにより、ターポリンの穿孔部位を保護している。
【０００３】
上記のターポリンとは、周知の如く、低密度のポリエチレンと高密度のエチレンよりなる原糸を緯糸と経糸として織った織物の上下面に同じ材質のポリエチレンをコーティングしてなるものであり、これは既に周知であるため、明細書の簡略化のためにこれに関する説明は省く。
【０００４】
このため、上記のように処理されたターポリンよりなる織物の縁部を補強するために、二つ折りした後、その二つ折り部分に孔を穿設してアイレットを固定している。
【０００５】
従来のアイレットは、アルミニウム製のアイレットと硬質プラスチック製のアイレットの２種類に大別でき、これらの従来のアイレットは、上金型と下金型よりなる。
【０００６】
アルミニウム製のアイレットは、装着前の構造形式が下部円筒と上部円盤よりなるが、下部円筒は底板と上方に向けた円筒よりなり、円筒の高さは、略６〜８ｍｍである。上部円盤の途中に円の内部が凹んだリングが備えられ、周辺に折り返されている辺が設けられる。ターポリンへのアルミニウム製のアイレットの装着は、アイレット打ち抜き器により仕上げられる。アイレットを穿孔した後、下部円筒と上部円盤はリベット結合されて強固に圧着され、下部円筒の円筒部分は突出した円環状に圧縮成形されて上部円盤の途中の内部の窪んだ円環の内部に結合され、下部円筒と上部円筒が一体をなすようにしてターポリンに結合される。ターポリンを固定する紐は、アイレットの中間孔の内部を貫通して支持固定物にターポリンを固定する。
【０００７】
硬質プラスチック製のアイレットの構造は、アルミニウム製のアイレットのそれと略同様であるが、下部円筒の底板と上部円盤の底面に一周の円を描く突起が設けられるという点で異なる。前記突起は、アイレットを穿孔後、ターポリンに内嵌されて強固に結合される。
【０００８】
前記２種類のアイレットは、使用を通じて、依然として不完全なところが存在するということが明らかになっている。すなわち、
１．アイレットの下部円筒と上部円盤との間に形成される機械リベット方式の結合によっては、アイレットとターポリン接触面とを緊結させることができない。すなわち、アイレットとターポリンとの間に隙間が残留し、ロープをアイレットに当てて力を加えると、アイレットが弛み易くなり、アイレットがターポリンの上においてロープに沿って動くが、酷い場合には、アイレットが変形されて外れることがある。さらに、アイレットの固定部位によっては、ターポリンが破裂することがあるが、ターポリンの一部が破裂されると、破裂部位が非常に急速に広がり、その結果、ターポリンの全体を廃棄すしなければならないという場合が生じる。
【０００９】
２．ターポリンは殆どがプラスチック製であり、アルミニウム製のアイレットとは材質面で異なる。外国の環境保護の要求によれば、ターポリンは、使用期限が切れると必ずアルミニウム製のアイレットを外すことを余儀なくされており、その結果、アルミニウム製のアイレットをターポリンと一緒にリサイクルできないため、は作業負担の増大につながる。また、硬質プラスチック製のアイレットはリサイクルは可能であるものの、硬質プラスチック製のアイレットとターポリンとの硬度差により、別々にリサイクルしなければならないという煩雑さがあった。
【００１０】
３．アルミニウム製のアイレットや硬質プラスチック製のアイレットが両方とも硬い材質よりなるため、一定の時間使用すると変形され易く、角部が生じる。このため、作業者による紐の固定時に、作業者が怪我をする恐れがある。
【００１１】
４．製造コストが高い。
【００１２】
５．製造工程が複雑である。
【００１３】
６．アイレットにおける下部円筒と上部円盤の構造が異なるため、アイレットの製作工程中に下部円筒と上部円盤を別々に搬送する必要があり、アイレットの穿孔工程が複雑で且つ低効率である。
【００１４】
７．アイレットの形状が複雑であり、上部円筒に一定の高さがあるため、搬送時に多くの空間を占める。
【発明の開示】
【発明が解決しようとする課題】
【００１５】
本発明は、上記事情に鑑みてなされたものであり、その目的は、一種の新しいターポリン用アイレットを提供することにより、従来の技術に見られる、固定が強固ではなく、環境保護に役に立たず、製造コストが高いほか、製造及び設置工程が複雑であるという不都合を解決することにある。
【課題を解決するための手段】
【００１６】
前記目的を達成するために、本発明の技術手段において、請求項１記載の発明は、上下部アイレット（１０）を含む一種のターポリン用のアイレットにおいて、上下部アイレット（１０）の形状は同様であり、上下部アイレット（１０）は環状をなし、上下部アイレット（１０）の前面（１１）と背面（１２）が平面なすアイレットであり、前記上下部アイレット（１０）の前面に少なくとも多数の円を描く固定突起（４０）が設けられ、前記固定突起（４０）は円柱状または円錐状の突状を呈し、前記多数の円を描く固定突起（４０）は、内円と外円における固定突起の配列間隔はちゅう密であり、中間円における固定突起の配列間隔は広くなしたことを特徴とするアイレットを提供する。
【００１７】
また、本発明は、請求項２記載の発明として、前記上下アイレット（１０）は、軟質プラスチック製であることを特徴とする請求項１記載のアイレットを提供する。
【００１８】
さらに、本発明は、請求項３記載の発明として、前記下部アイレットには、上部アイレットの穿孔（２１）に嵌合自在な嵌合爪（３１）が備えられることを特徴とする請求項１または２記載のアイレットを提供する。
【００１９】
さらに、本発明は、請求項４記載の発明として、前記嵌合爪（３１）は、上部アイレットの穿孔（２１）に嵌合され該上部アイレットの上部面よりも突設されていることを特徴とする請求項３記載のアイレットを提供する。
【００２０】
さらに、本発明は、請求項５記載の発明として、前記嵌合爪（３１）は、上部アイレットの穿孔（２１）に嵌合され該上部アイレットの上部面よりも突設された部分が、超音波融着により、溶融されて縁体を形成してなることを特徴とする請求項４記載のアイレットを提供する。
【発明の効果】
【００２４】
本発明と従来の技術を比較すると、次のような長所と積極的な効果を奏する。
【００２５】
１．ターポリンの上下部アイレットの形状を同様にし、さらに平面型の円環状にし、超音波振動で生じたエネルギーにより上下アイレットとプラスチック製のターポリンをともに溶接する粘着性溶接を行い、上下アイレットの全面をターポリンと強固に結合することにより、紐によるアイレットへの付勢力が増加するほど上下アイレットの結合が一層強固になり、弛みや外れを防止することができる。
【００２６】
２．上下アイレットは軟質プラスチック製であるために、プラスチック製のターポリンとともにリサイクル性に優れていることから、環境汚染を起こさないという利点がある。
【００２７】
３．アイレットの固定突起によりターポリンが強固に結合され、下部アイレットの嵌合爪が上部アイレットの上部面と圧着工程により融着されて縁体面を形成することにより、結合が一層強固になり、弛みや外れを防止することができる。
【００２８】
４．同様に、軟質プラスチック製であるために優れた弾性復元性を有し、その結果、変形による角部を生成せず、怪我をすることがない。
【００２９】
５．大幅なコスト節減が図れる。
【００３０】
６．組立て済みアイレットの穿孔が広がったり、そこからターポリンが見えたりせず、その結果、外観がきれいになると共に、結合構造が強固になる。
【００３１】
７．材質が軟質ポリエチレンであり、構造が環状であることから、体積が嵩まず、ボックス（封筒）包装が容易になり、運送スペースを節減できる。
【００３２】
上述の如く、本発明は、上下部アイレットとプラスチック製のターポリンを溶接してなるものであるため、結合が強固であり、外観がきれいであるほか、リサイクル性に優れ、コスト節減及び生産効率のアップを両立でき、さらには、搬送スペース及び物流コストを節減可能である。
【発明を実施するための最良の形態】
【００３３】
以下、本発明を添付した図面に基づき詳述する。
【００３４】
先ず、図１ないし図５を参照し、実施例について説明すると、下記の通りである。
【００３５】
ターポリン５０の前面と背面に固定される上下部アイレット１０は、構造が同様であり、両方とも環状であり、アイレット１０の前面１１と背面１２は両方とも平面であり、前面１１に数周の円を描く固定突起４０が設けられ、固定突起４０は、上方に向けて突設されている。外円と内円を描く固定突起４０の配列間隔はちゅう密であるが、中間円の固定突起４０は多数設けられ、それぞれの間隔を互いにちょう密にする。上下部アイレット１0の厚さは１ｍｍであり、外径は３０ｍｍであり、そして内径は１２ｍｍである。また、混合材料（すなわち、ＬＤＰＥ／ＨＤＰＥ）を用いるため、こうして製作された上下部アイレット１０は比較的に軟質である。
【００３６】
上述の如く、本発明に係るアイレットは軟質材料製であるために軟質プラスチック製のアイレットとも呼ばれるが、本説明においては、単にアイレットと称する。
【００３７】
また、前記固定突起４０は、上記の配列状態において超音波溶接を行うことが可能である。他の実施例によれば、アイレットの前面１１に固定突起４０を多数の円を描くように配列して溶接することもできる。
【００３８】
また、前記上下部アイレット１０は、図６に示すように、極めて軟質な材質により製作されるため、手で容易に折曲可能であり、折り畳んで搬送可能である。また、軟質であるために破損や摩耗が起こらず、さらに、ユーザがアイレットに触っても怪我をする恐れがない。すなわち、安全性が高まる。
【００３９】
上下部アイレット１０を装着するとき、上部アイレット１０はプラスチック製のターポリンの前面５１に、下部アイレット１０はターポリンの背面５２に装着し、上下部アイレット１０の前面１１、すなわち、固定突起４０の形成面をターポリン５０に向けて、超音波溶接設備を用いて上下部アイレット１０を超音波溶接することにより、ターポリン５０の上において、上下部アイレット１０をターポリン５０と一体に溶接する。溶接に際し、ターポリン５０と当接する上下部アイレット１０の前面１１に形成されている固定突起４０が超音波により溶解されつつターポリン５０と溶接される。溶接後、上下部アイレット１０の前面１１の平面部がターポリン５０と一体化され、固定突起４０はターポリン５０に内嵌されてプラスチック製のターポリン５０と一体に溶接される。
【００４０】
ロープ３０をアイレットの穿孔２１に通してプラスチック製のターポリン２０を固定すれば良い。
【００４１】
図７は、本発明の他の実施例によるアイレットの結合斜視図であり、上下部アイレット２０，３０が互いに対向するように多数の固定突起４０が内設され、前記固定突起４０は、アイレット１０の円周面に沿って多数の円状に設けられるアイレット１０において、前記アイレット１０は、上部アイレット２０と下部アイレット３０よりなり、上部アイレット２０には、下部アイレット３０との対向面に固定突起４０が内設されており、反対面は平面となっている。
【００４２】
また、前記下部アイレット３０は、上部アイレット２０の穿孔２１に嵌合自在に嵌合爪３１が設けられ、結合後に上部アイレット２０の上部面よりも突出させて、超音波融着により嵌合爪３１がリベット効果により溶融されて縁体を形成するようにする。
【００４３】
さらに、下部アイレット３０もまた、上部アイレット２０との対向面に固定突起４０が内設され、反対面は平面となっている。
【００４４】
図８は、本発明の他の実施例によるアイレットの分解斜視図である。上述の如く、対向する多数の固定突起４０がアイレット１０の内面に内設され、ターポリン５０への装着時に、超音波により固定突起４０がターポリン５０と融着される。
【００４５】
また、下部アイレット３０の中央には、組立て済みアイレット１０の上部面よりも突出自在に嵌合爪３１が設けられ、上部アイレット２０と下部アイレット３０が組み合わせられたとき、ターポリン５０が穿孔２１の隙間から見えることや、隙間が広がることを止ぐ。
【００４６】
図９は、本発明の他の実施例によるアイレットの結合断面図であり、これより、作用と組立て状態が分かる。また、図１０は、本発明によるアイレットの工程図である。
【００４７】
前記図９と図１０を中心として、本発明の作用と工程について説明する。本発明のアイレットの製造工程によれば、前記移送手段による位置決め工程（Ｓ２）と、超音波ホルンと一体に形成される打ち抜き器によるターポリン穿孔工程（Ｓ３）と、位置された上下部アイレット２０,３０が移送され、超音波ホルンにより圧着されて融着される超音波融着工程（Ｓ４）と、前記超音波融着工程中に下部アイレット３０の嵌合爪３１が圧着工程により押圧されながら融着されて縁体面３２として形成される融着成形工程（Ｓ５）と、が行われ、しかる後、アイレット１０が装着されたターポリン５０とロープ６０を組み合わせるロープ組立工程（Ｓ６）が行われる。
【００４８】
具体的には、まず、超音波融着器の移送手段により前記上部アイレット２０と下部アイレット３０がターポリン５０の上下に位置され、前記上下部アイレット２０，３０が移送手段に位置する間に、超音波ホルンと一体に形成された打ち抜き器によりターポリン５０の一定の位置に打ち抜きを行った後、前記移送手段により超音波ホルンの位置まで移送された上下部アイレット２０，３０を超音波融着器の超音波ホルンが下降しながら融着させる。
【００４９】
このとき、組立て済みアイレット１０の上部面に下部アイレット３０の嵌合爪３１が上部アイレット２０よりも突出されている場合には、超音波ホルンにより圧着が行われ、下部アイレット３０の嵌合爪３１が上部アイレット２０の上部面と融着されながら縁体面３２を形成する。
【００５０】
図１１は、本発明の他の実施例によるアイレットをターポリンに固定する使用状態図である。これを参照すれば、ターポリン５０にアイレット１０が装着され、これをロープ６０が貫通して使われる状態を示している。従来には、アルミニウム製のアイレットや硬質プラスチック製のアイレットが有する硬度により、材質が異なるターポリンが破裂されたり損傷されていた。これに対し、本発明は軟質なポリエチレン製であるため、アイレット１０の縁体面３２が損傷されることを防ぎ、しかも、材質が有している軟性によりターポリン５０が折曲自在であるため、ターポリン５０が損傷されることを防ぐことができる。
【００５１】
また、前記上下部アイレット２０，３０は、極めて軟質な材質により製作され、手で容易に折曲可能であり、折り畳んで搬送可能である。さらに、軟質な材質よりなるために破損や摩耗が起こらず、さらに、ユーザがアイレットに触っても怪我をする恐れがないため、安全性が高まる。
【００５２】
本発明によるアイレットと、上述の本願出願人による平面軟質プラスチック製のアイレットおよび従来のアルミニウム製のアイレットと硬質プラスチック製のアイレットに対し、引張り強度及びターポリンの破損が起こる限界力と限界時間を調べ、下記表１に示す。
【００５３】
【表１】
0004716849.tif 000002
（Ａ）：硬質プラスチック製のアイレット
（Ｂ）：アルミニウム製のアイレット
（Ｃ）：平面軟質プラスチック製のアイレット
（Ｄ）：結合軟質プラスチック製のアイレット
単位＝Newton、ＦＲ：Fabric Rupture
前記表１は、韓国繊維技術研究所に依頼して行われた実験データであり、前記表１から明らかなように、本発明によるアイレットの場合、引張り強度及びターポリンの破損が起こる限界力と限界時間の側面で、従来のアルミニウム製のアイレットと硬質プラスチック製のアイレットとは顕著な違いを示している。
【００５４】
前記表において、“Eyelet pull out”とは、ターポリンは破裂または破損されず、アイレットだけ外れる状態をいい、“Fabric Rupture”とは、限界力に至った時点でターポリンが破裂または破損される状態をいう。さらに、“Eyelet Rupture”は、限界力に至った時点でアイレットが破裂または破損される状態を言う。
【００５５】
これは、従来のアイレットにおける角部（アイレットの結合端面とターポリンの接触面が出会う部分）と中間部分（アイレットとターポリンが装着された中間面）に対する試験であり、各硬度による引張り強度を断片的に示している。
【００５６】
言うまでもなく、本発明は、前記の実施例にのみ限定されることなく、本発明の実質的な創作範囲内において、本発明は多くの変化、改造、添加または交替が可能であり、これらもまた本発明の保護範囲に属するとみなす。
【図面の簡単な説明】
【００５７】
【図１】本発明のアイレットの立体図である。
【図２】本発明のアイレットの平面図である。
【図３】本発明のアイレットの背面図である。
【図４】本発明のアイレットをターポリンに固定する使用状態図である。
【図５】図４中のＡ−Ａ線断面図である。
【図６】ターポリンに装着されたアイレットが折り返される使用状態図である。
【図７】本発明の他の実施例によるアイレットの結合斜視図である。
【図８】本発明の他の実施例によるアイレットの分解斜視図である。
【図９】本発明の他の実施例によるアイレットの結合断面図である。
【図１０】本発明の他の実施例によるアイレットの工程図である。
【図１１】本発明の他の実施例によるアイレットをターポリンに固定する使用状態図である。
【符号の説明】
【００５８】
１０    上下アイレット
１１    上下アイレットの前面
１２    上下アイレットの背面
２０    上部アイレット
２１    穿孔
３０    下部アイレット
３１    嵌合爪
３２    縁体面
４０    固定突起
５０    ターポリン
５１    プラスチック製のターポリンの前面
５２    プラスチック製のターポリンの背面
６０    ロープ
【図１】
0004716849.tif 000003
【図２】
0004716849.tif 000004
【図３】
0004716849.tif 000005
【図４】
0004716849.tif 000006
【図５】
0004716849.tif 000007
【図６】
0004716849.tif 000008
【図７】
0004716849.tif 000009
【図８】
0004716849.tif 000010
【図９】
0004716849.tif 000011
【図１０】
0004716849.tif 000012
【図１１】
0004716849.tif 000013